(57)【要約】高周波構成要素は、青銅、特に青銅鋳物からなる少なくとも１つの金属製支持部材（３，４，２８）を有する。亜鉛の含有率は１８重量％未満、特に１２重量％未満である。この構成要素は、真鍮と比較して、侵食性の環境、特にアンモニアおよび硫黄化合物に対して大幅に高い耐久性を有する。
2005529471.tif 000002
【特許請求の範囲】
【請求項１】
少なくとも１つの金属製支持部材（３，４，２８）を有する例えば同軸ケーブルまたは波型管同軸ケーブルまたは同軸差込コネクタ等の高周波設備の導電部を電気的に接触させる装置であり、少なくとも１つの周囲環境にさらされる支持部材（３，４，２８）が青銅、特に青銅鋳物からなることを特徴とする装置。
【請求項２】
装置は電気コネクタあるいはコネクタ体（１）であることを特徴とする請求項１記載の装置。
【請求項３】
コネクタ体（１）は同軸コネクタの一部であることを特徴とする請求項２記載の装置。
【請求項４】
装置は高周波落雷防護構成要素の一部であることを特徴とする請求項１記載の装置。
【請求項５】
装置は外部アンテナ用の電気構成要素であることを特徴とする請求項１ないし４のいずれかに記載の装置。
【請求項６】
装置はケーブルネジ付け器具の一部、出力分割器の一部、高周波フィルタの一部、あるいは高周波カプラの一部であることを特徴とする請求項１記載の装置。
【請求項７】
亜鉛の含有率が７重量％未満、特に約６重量％であることを特徴とする請求項１ないし５のいずれかに記載の装置。
【請求項８】
青銅は鉛を含む多物質青銅であることを特徴とする請求項１ないし７のいずれかに記載の装置。
【請求項９】
青銅はＣｕＺｎ６Ｓｎ４Ｐｂ３の組成からなることを特徴とする請求項１ないし８のいずれかに記載の装置。
【発明の詳細な説明】
【発明の詳細な説明】
【０００１】
この発明は、請求項１前段に記載の装置に関する。
【０００２】
例えば、同軸ケーブルを電気的に接触させる装置に対して、高周波技術においては国際規格“Ｆｅｄ．Ｓｐｅｃ．（米国品質基準）ＱＱ−Ｓ−７６４”に従ってステンレス鋼が使用される。しかしながら、この鋼材は受動相互変調歪作用をもたらし、従って多くの高周波用途において使用不可能である。この鋼材に代えて、“ＱＱ−Ｂ−６２６”規格に従った真鍮が使用されている。しかしながら、真鍮は応力亀裂腐食の危険性を有しており、従って屋外での使用ならびに特に多湿かつ汚染のひどい環境における設置に際して絶縁帯材または焼ばめによって侵食性の周囲環境に対して防護する必要がある。それによって追加的な設置コストが発生する。
【０００３】
従って、本発明の目的は、侵食性の環境下においても応力亀裂腐食を有効に防止するにもかかわらず、電気的特性、機械加工容易性、ならびに電気メッキ容易性の点において真鍮に匹敵するとともに無視できる程度の受動相互変調歪作用しか生じない、前述した種類の装置を提供することである。
【０００４】
前記の課題は、前述した種類の高周波構成要素において、支持部材を銅、特に青銅鋳物によって形成することによって達成される。実験の結果、青銅、特に青銅鋳物が真鍮に比べると侵食性の媒体および特にアンモニア、ならびに硫黄化合物に対して大幅に耐久性の高いことが証明された。特に青銅は機械的な応力ならびに内部応力が生じている際に前述した媒体中において応力亀裂腐食がより少ないものとなる。侵食性の媒体中における耐久性は、構成要素が焼ばめ、接着帯材等によって保護されておらず従って直接周囲環境に接している場合にも保持される。電気部品の接触部としての青銅の使用自体は既に既知である。しかしながら、それによって前述した問題が解決されるものではなく、単により良好な接触を達成するものであった。
【０００５】
本発明に係る高周波構成要素の主要な利点は、青銅が真鍮と同程度に低コストに加工し得る点である。特に青銅合金は機械加工によって処理することができ、それに従って特に低コストにコネクタを製造することができる。従って、青銅、特に製造鋳物による真鍮の代替は、実質的にコストを追加することなく実施することができる。
【０００６】
高周波構成要素は特に同軸コネクタまたは落雷保護部材とすることが好適である。
【０００７】
本発明に係る高周波構成要素は、亜鉛の含有率が１８重量％未満、特に１２重量％未満である際に侵食性の媒体の影響下における耐久性が極めて大きいことが実証された。亜鉛の含有率が７重量％未満、特に約６重量％である場合に極めて高い耐久性が達成される。極めて好適な合金は、ＣｕＺｎ６Ｓｎ４Ｐｂ３の組成からなる。
【０００８】
本発明に係る高周波構成要素の実施例につき添付図面を参照しながら以下に説明する。
【０００９】
図１および図２に示された高周波構成要素は同軸コネクタ２であり、これはケース部材３を備えており、これに同軸ケーブル１０がナット４によって取り外し可能に取り付けられている。同軸ケーブル１０は、既知の方式で内側導体１１、絶縁体１２、外側導体としての波状綿質１３、ならびに外被１４を備えている。内側導体１１は接続スリーブ１９を介して絶縁体２１によって被包されているコネクタピン２０に接続されている。別のナット２８によって同軸コネクタ２は図示されていないコネクタ体にネジ付けられている。
【００１０】
図１においては、ナット４がケース部材３に完全にはネジ付けられていない。ナット４を図２に示されている位置までさらにねじ込む際に、例えばエラストマからなるパッキング材料７が部分的に環状空間９内に押し込まれ、波状綿質１３上にネジ付けられたネジ切り環部材１７を外側に対して密封する。波状綿質１３の前端はナット４のネジ付けに際して明らかに変形される。環部材８がナット４のネジ込みの深さを制限する。
【００１１】
両方のナット４および２８ならびにケース部材３は、青銅、特に青銅鋳物から形成される。外側に対して遮断されたネジ切り環部材１７は、既知のように真鍮から形成することができる。両方のナット４および２８は、例えば銀メッキ等によって表面処理することが好適であり、これによって接触抵抗が改善される。コネクタピン２０も同様に青銅、特に青銅鋳物から形成され、その表面が銀メッキ等によって処理されている。
【００１２】
青銅は比較的小さな亜鉛含有率を有している。これは、１８重量％未満、特に１２重量％未満とすることが好適である。特に好適な青銅は、亜鉛の含有率が７重量％未満である。
【００１３】
使用される銅−錫−亜鉛合金は鉛を含んだ多重物質合金とすることが好適であり、例えばＣｕＺｎ６Ｓｎ４Ｐｂ３の組成からなる。
【００１４】
本発明に係る装置は、例えば高周波落雷保護構成要素の一部、外部アンテナの構成要素、出力分割器の一部、または高周波コネクタの一部とすることができる。
【００１５】
従って、使用される青銅は、周囲の環境に対して露出しているとともに機械的な応力にさらされている、同軸コネクタ１の支持部材を形成する。これは、機械的な応力がかかっていても例えばアンモニアおよび硫黄化合物等の腐食性媒体に対して耐久性を有する。この耐久性は、特に構成要素の破壊につながり得る応力亀裂腐食に対するものである。従って、コネクタ部材１は、例えば周囲環境に継続的にさらされる外部アンテナ等の屋外用途に特に適している。従って、侵食性の媒体に対しての追加的な防護材は不要である。従って、外表面を直接周囲環境に対して露出させることが可能である。
【図面の簡単な説明】
【００１６】
【図１】本発明に係る同軸コネクタの断面図である。
【図２】本発明に係る同軸コネクタの別の断面図である。
【図１】
2005529471.tif 000003
【図２】
2005529471.tif 000004
【国際調査報告】
2005529471.tif 000005
2005529471.tif 000006
2005529471.tif 000007
2005529471.tif 000008